(57)【要約】      （修正有）【課題】拭取シートを装着し清掃床面を摺動するフローリングワイパーにおいて、埃、塵等が清掃床面と拭取シートの間に入り込みやすく、からみやすい、また、硬い塵等で清掃床面に擦りキズが出来にくいフローリングワイパーを得る。【解決手段】ワイパーヘッド６に連結された柄棒２からなり、このワイパーヘッド６は、前側の基板９と、後側の基板８とに、二つに別れた形状を有していて、清掃時に、柄棒２を前に押した時に、前側の基板９は上の方向に動き、引き戻した時には、前側の基板９と後側の基板８は清掃床面に接した状態で摺動する。また、前側の基板９の底面と後側の基板８の前側の基板９側と反対側の底面の両端に凸部の形成または弾性状部材の貼着またはスロープ状を形成する。【選択図】図１
0003135125.tif 000002
【実用新案登録請求の範囲】
【請求項１】
拭取シート１２を着脱自在に装着することができるワイパーヘッド６の上面に連結された柄棒２ととからなるフローリングワイパーであって、このワイパーヘッド６は、上記ワイパーヘッド６を上記柄棒２で前に押した時に清掃床面１５を進む方向側となる前側の基板９と、引き戻した時に清掃床面１５を進む方向側となる後側の基板８に、別れた形状を有しているが、前側の基板９は本体７と一体になっている、この本体７の、上記ワイパーヘッド６を引き戻した時に進む方向側となる後側の端縁と上記後側の基板８の、上記ワイパーヘッド６を引き戻した時に進む方向側となる後側の端縁は可動軸部材１９によって連結されている、上記本考案のフローリングワイパーによる清掃時において、拭取シート１２を装着した上記ワイパーヘッド６を上記柄棒２により前側に押した時に進む方向側と上記引き戻した時に清掃床面１５を進む方向側に摺動させた場合、基板可動部材５の柄可動軸部材４６の部分は上記前に押した時に進む方向側と引き戻した時に進む方向側に動き、上記柄可動軸部材４６の部分の動きによって、上記後側の基板８に固着している軸部固定部材２２の可動軸部材２１を支点として、本体７に固着している軸部固定部材１８の可動軸部材２０の部分が上下に動き、この動きによって可動軸部材１９を支点として上記前側の基板９は清掃床面１５から遠ざかる上の方向、および、この上の方向から清掃床面１５の方向に動くことを特徴とするフローリングワイパー。
【請求項２】
ワイパーヘッド６は、上記ワイパーヘッド６を柄棒２で前に押した時に清掃床面１５を進む方向側となる前側の基板９と、引き戻した時に清掃床面１５を進む方向側となる後側の基板８に、別れた形状を有しているが、上記前側の基板９は本体７と一体になっている、この本体７の、上記ワイパーヘッド６を引き戻した時に進む方向側となる後側の端縁と上記後側の基板８の、上記ワイパーヘッド６を引き戻した時に進む方向側となる後側の端縁は可動軸部材１９によって連結されている、上記ワイパーヘッド６を上記柄棒２で前に押した時に清掃床面１５を進む方向側と引き戻した時に清掃床面１５を進む方向側に摺動させた場合、基板可動部材２４の柄可動軸部材４６の部分は上記前に押した時に進む方向側と引き戻した時に進む方向側に動き、上記柄可動軸部材４６の部分の動きによって、上記後側の基板８に固着している軸部固定部材２５の可動軸部材３２を支点として、可動軸部材３１の部分が上下に動き、この可動軸部材３１を介して連結されている基板可動部材２７は上記後側の基板８および上記前側の基板９に固着している軸部固定部材２６，２８の可動軸部材３０，２９を介して連結されているため、前側の基板９は可動軸部材１９を介して上記清掃床面１５から遠ざかる上の方向、および、この上の方向から清掃床面１５の方向に動くことを特徴とする請求項１記載のフローリングワイパー。
【請求項３】
上記ワイパーヘッド６を上記柄棒２で前に押した時に上記清掃床面１５を摺動する上記ワイパーヘッド６の底面において、上記引き戻した時に清掃床面１５を進む方向側となる後側の端縁部から、この後側の端縁部の反対側の端縁部にかけて上記反対側の端縁部が徐徐に低くなるようなスロープ状を形成するが、このスロープ状の部分と清掃床面１５間に、上記スロープ状に対して逆のスロープ状の空間ができるように、少なくとも２箇所以上に、上記スロープ状に対して逆のスロープ状を形成することを特徴とする請求項１または２記載のフローリングワイパー。
【考案の詳細な説明】
【技術分野】
【０００１】本考案は、床の拭き掃除に使用するフローリングワイパーに関する。特に、本考案は、従来のフローリングワイパーでは除去することが困難であった、一定以上の大きさを有する埃、塵等を能率よく効率的に除去することのできるフローリングワイパーに関するものである。
【背景技術】
【０００２】一定以上の大きさを有する埃、塵等を能率よく効率的に除去することのできるフローリングワイパーは、既に出願されている、実願２００７−４１３５の請求項４おいては、柄棒によりワイパーヘッドを前に押した時に進む方向側と柄棒により引き戻した時に進む方向側に清掃床面を摺動させると、前側の基板は清掃床面から遠ざかる上の方向、および、この上の方向から清掃床面の方向に動き、埃、塵等を清掃床面と拭取シートの間に挟み込み摺動するものである、ところが、このフローリングワイパーの柄棒を押し引きし、前側の基板を清掃床面から遠ざかる上の方向、および、この上の方向から清掃床面１の方向に動かす構造は、清掃床面と拭取シート間のわずかな摩擦抵抗の力を利用しているものであるが、この、わずかな摩擦抵抗の力では動きにくい問題があった。また、拭取シートに砂等の硬い塵等が付着すると、付着した砂等の硬い塵等は清掃床面を擦ってキズを付けることがある。清掃時、柄棒によりワイパーヘッドを前に押した時に進む方向側となるワイパーヘッドの前側の端部が、この押圧力により拭取シートの繊維間がつぶれ埃、塵等が拭取シートにからみにくくなる、また、拭取シートと清掃床面の間に埃、塵等が入り込みにくくなる。
【考案が解決しようとする課題】
【０００３】本考案の課題は、フローリングワイパーの柄棒を押し引きし、前側の基板を清掃床面から遠ざかる上の方向、および、この上の方向から清掃床面１の方向に動かす構造において、清掃床面と拭取シート間とのわずかな摩擦抵抗の力でも前側の基板が上下に動くようにし、また、拭取シートに付着した砂等の硬い塵等で清掃床面を擦ってキズが付きにくく、拭取シートに埃、塵等がからみやすく、拭取シートと清掃床面の間に埃、塵等が入り込みやすいフローリングワイパーを提供することにある。
【課題を解決すための手段】
【０００４】上記課題を解決するため、本考案によるフローリングワイパーは、拭取シート１２を着脱自在に装着できるワイパーヘッド６と、このワイパーヘッド６に連結された柄棒２等からなり、このワイパーヘッド６は、清掃時、上記ワイパーヘッド６を上記柄棒２で前に押した時に清掃床面１５を進む方向側となる前側の基板９と、引き戻した時に清掃床面１５を進む方向側となる後側の基板８に、別れた形状を有しているが、前側の基板９は本体７と一体となっている、上記本考案のフローリングワイパーによる清掃時において、上記ワイパーヘッド６を上記柄棒２で前に押した時に清掃床面１５を進む方向側と引き戻した時に清掃床面１５を進む方向側に摺動させた場合、上記後側の基板８に連結している基板可動部材５の下部の可動軸部材２０の部分は上下に動き、この可動軸部材２０と連結している本体７は、可動軸部材１９を支点として上下に動く、この本体７と一体となっている上記前側の基板９は清掃床面１５から遠ざかる上の方向の一定の高さでまで動き、この摺動が続いている間は一定の高さで動きが止まった状態となり、また、引き戻した時に清掃床面１５を進む方向側に摺動させた場合、上記前側の基板９は、この摺動と同時に清掃床面１に接し、この摺動が続いている間は清掃床面１５に接している状態にある、また、上記清掃時において、上記後側の基板８は常に清掃床面１５に接している状態にある。
【０００５】上記本考案フローリングワイパーの基板可動部材５の下部の部分等を下記に変更した場合においても上記同様の手段による上記同様の清掃効果を得ることができる、上記ワイパーヘッド６を上記柄棒２で前に押した時に清掃床面１５を進む方向側と引き戻した時に清掃床面１５を進む方向側に摺動させた場合、基板可動部材２４の柄可動軸部材４６の部分は上記前に押した時に進む方向側と引き戻した時に進む方向側に動き、この基板可動部材２４の下部の可動軸部材３１の部分は上下に動く、この可動軸部材３１に連結している基板可動部材２７は上記後側の基板８および上記前側の基板９に固着している可動軸部材３０，２９および可動軸部材１９を介して、上記本体７と一体となっている上記前側の基板９は上記清掃床面１５から遠ざかる上の方向、および、この上の方向から清掃床面１５の方向に動くことになる。
【０００６】上記ワイパーヘッド６を上記柄棒２で前に押した時に上記清掃床面１５を摺動する上記ワイパーヘッド６の底面において、上記柄棒２で引き戻した時に清掃床面１５を進む方向側となる後側の端縁部から、この後側の端縁部の反対側の端縁部にかけて、上記反対側の端縁部が徐徐に低くなるようなスロープ状４８を形成するが、このスロープ状４８の部分と清掃床面１５間に、上記スロープ状４８に対して逆のスロープ状の空間４９ができるように、少なくとも２箇所以上に、上記スロープ状４８に対して逆のスロープ状４７を形成する。
【０００７】上記清掃時の清掃床面１５の摺動において、上記前側の基板９と後側の基板８の凸凹部底面３７，３９部分の拭取シート１２面に砂等の硬い塵等が特に付着しやすく、付着した砂等の硬い塵等は清掃床面１２を擦ってキズを付けることがあるため、この部分の底部に、例えば、凸部線状３４、凸部点状４３、凸部山形状、凸部波形状、凸部円形状、凸部角形状の凸部を形成することにより、上記拭取シート１２面に付着した砂等の硬い塵等が凹部３５に入り込み、砂等の硬い塵等を押さえつける圧力が軽減されるため、上記清掃床面１５を擦ってキズを付けることを軽減することができる。また、この凸部材の代わりに上記後側の基板８の底面３８の中央部分の弾性状部材より軟らかいスポンジ等の平面状の弾性状部材を使用してもよい。また、上記凸部および上記スポンジ等の弾性状部材の部分を従来のフローリングワイパーに形成してもよい。また、上記前側の基板側９の部分の拭取シート１２に付着した砂等の硬い塵１３，１４等は、上記ワイパーヘッド６を上記柄棒２で前に押した時に清掃床面１５を進む方向側に摺動している間は、上記前側の基板９は清掃床面１５から遠ざかる上の方向にあがっている状態になるため、拭取シート１２に付着した砂等の硬い塵１３、１４等は拭取シート１２により押さえつけられるため、圧力が軽減され、清掃床面１５を擦ってキズを付けることを軽減することができる。
【考案の効果】
【０００８】清掃時において、上記の通り、清掃床面１５と拭取シート１２の間に埃、塵等を挟み込みながら摺動することができるため、埃、塵等は拭取シート１２にからみやすくなり、また、従来のフローリングワイパーでは難しかった、一定以上の大きさを有する埃、塵等や壁際の埃、塵等も清掃床面１５と拭取シート１２の間の空間１０に入り込めるため能率よく効率的に除去できるようになる、また、上記、凸部、スポンジ等の平面状の弾性状部の形成により、また、砂等の硬い塵等が多く付着する上記前側の基板９の部分は拭取シート１２により圧力が軽減されるため、砂等の硬い塵等が清掃床面１５を擦ってキズを付けることを軽減することができる。
【０００９】上記ワイパーヘッド６を上記柄棒２で前に押した時に上記清掃床面１５を摺動する上記ワイパーヘッド６の底面において、上記柄棒２で引き戻した時に清掃床面１５を進む方向側となる後側の端縁部から、この後側の端縁部の反対側の端縁部にかけて、上記反対側の端縁部が徐徐に低くなるようなスロープ状４８を形成することにより、この部分の上記拭取シート１２と上記清掃床面１５間の上記押圧力が軽減されることになり、上記取シート１２の繊維間のすきまが保たれ繊維間のすきまで埃、塵等をからめ取る上記拭取シート１２の特性が長続きする、上記拭取シート１２と上記清掃床面１５の間に埃、塵等が入り込みやすくなる、上記、前側の端縁部に埃、塵等がたまりにくくなり拭取シートの全体を効率的に使用ができる、埃、塵等が上記拭取シート１２にからみにくい凸凹面の多い畳等の清掃においてもからみやすくなる、などの効果を得ることができる。
【考案を実施するための最良の形態】
【００１０】以下に、本考案によるフローリングワイパーの主な、構造等、材質、寸法、実施形態等を示すが本考案はこれのみに制約されるものではない。【００１１】図１，図２は本考案によるフローリングワイパーの好ましい代表的な実施形態を示す。【００１２】本考案によるフローリングワイパーの、ワイパーヘッド６に連結されている柄棒２は、柄可動部材３に回動自在に連結されているため、この柄棒２は、ワイパーヘッド６の上面の前後および左右の両方向に起倒自在に動くようになっている。【００１３】本考案によるフローリングワイパーの主な部材の材質および形状においては、例えば、硬質または半硬質の合成樹脂等によって前側の基板９、後側の基板８は、長方形状に形成され、この前側の基板９と後側の基板８の底面の各部材はクッション性を持たせるための、例えば、スポンズ等の弾性状部材が貼着されている、また、上記前側の基板９と上記後側の基板８の上面の複数箇所には、拭取シート１２の端部を押し込んで係止させるための係止孔１が形成されている、この係止孔１は、例えば、合成樹脂等を弾性変形可能な程度に薄肉に形成し、その薄肉の部分に切れ目を入れることにより形成したもので、この切れ目によって形成される複数の弾片を変形させながら拭取シート１２を係止孔１に押し込むことにより、上記弾片が拭取シート１２を係止させるものである、また、上記柄棒２を上記押し引きする際の上記基板可動部材５等の動きを止める可動式のストッパー４を柄可動止１７の下に押し込ませることにより上記前側の基板９等の動きを止めることができ、上記ワイパーヘッド６の底面全体の使用ができるため、清掃床面のワックスがけや階段等の清掃時等において便利である。【００１４】図４、５に示している、本考案によるフローリングワイパーのワイパーヘッド６は、清掃時、上記ワイパーヘッド６を上記柄棒２で前に押した時に清掃床面１５を進む方向側となる上記前側の基板９と、引き戻した時に清掃床面１５を進む方向側となる上記後側の基板８に、別れた形状を有しているが、上記前側の基板９は本体７と一体になっている、この本体７の、上記ワイパーヘッド６を引き戻した時に進む方向側となる後側の端縁と上記後側の基板８の、後側の端縁は可動軸部材１９によって連結されている、上記本考案のフローリングワイパーによる清掃時において、上記ワイパーヘッド６を上記柄棒２で前に押した時に清掃床面１５を進む方向側と引き戻した時に清掃床面１５を進む方向側に摺動させた場合、基板可動部材５の柄可動軸部材４６の部分は上記前に押した時に進む方向側と引き戻した時に進む方向側に動き、この摺動と同時に上記後側の基板８に固着している軸部固定部材２２の可動軸部材２１を支点として、本体７に固着している軸部固定部材１８の可動軸部材２０の部分が上下に動き、この動きによって可動軸部材１９を支点として上記前側の基板９は清掃床面１５から遠ざかる上の方向、および、この上の方向から清掃床面１５の方向に動く構造になっている。【００１５】また、図６、図７に示している、上記本考案フローリングワイパーの基板可動部材５の下部の部分等を下記に変更した場合においても上記同様の手段による上記同様の清掃効果を得ることができる、上記ワイパーヘッド６を、上記柄棒２で前に押した時に清掃床面１５を進む方向側と引き戻した時に清掃床面１５を進む方向側に摺動させた場合、基板可動部材２４の柄可動軸部材４６の部分は上記前に押した時に進む方向側と引き戻した時に進む方向側に動き、この摺動と同時に後側の基板８に固着している軸部固定部材２５の可動軸部材３２を支点として、可動軸部材３１の部分が上下に動き、この可動軸部材３１を介して連結されている基板可動部材２７は上記後側の基板８および上記前側の基板９に固着している軸部固定部材２６，２８の可動軸部材３０，２９を介して連結されているため、上記本体７と一体となっている上記前側の基板９は、可動軸部材１９を介して上記清掃床面１５から遠ざかる上の方向、および、この上の方向から清掃床面１５の方向に動く構造になる。【００１６】本考案によるフローリングワイパーの主な各寸法において、ワイパーヘッド６は、市販の拭取シート、縦、約２００ｍｍ、横、約３００ｍｍを装着できて、清掃に適していれば特に制約されるものではないが、前側の基板９は上記押した時に進む方向側に対して左右方向となる横の長さ２５０ｍｍ程度、縦の長さ３５ｍｍ程度および後側の基板７は、横の長さ２５０ｍｍ程度、縦の長さ９０ｍｍ程度が望ましい、また、基板可動部材５，２４等の各寸法は、下記、前側の基板９の清掃床面１５から遠ざかる上の方向に動く高さとなる寸法に合わせる。【００１７】本考案によるフローリングワイパーにおいて、前側の基板９の清掃床面１５から遠ざかる上の方向に動く高さの寸法は、一般家庭の清掃時における一般的な大きさ、種類の埃、塵等が拭取シート１２と清掃床面１５の間に入り込める高さであればよく、３ｍｍ〜１０ｍｍ程度が望ましい。【００１８】図１２，１３，１４において、上記ワイパーヘッド６を上記柄棒２で前に押した時に上記清掃床面１５を摺動する上記ワイパーヘッド６の底面の部分で、上記柄棒２で引き戻した時に清掃床面１５を進む方向側となる後側の端縁部、または、ワイパーヘッド６の底面の中央部分から、上記反対側の端縁部にかけて、上記反対側の端縁部が０．５ｍｍ〜３ｍｍ程度の低さになるようにスロープ状４８を形成するが、このスロープ状４８の部分と清掃床面１５間に、上記スロープ状４８に対して逆のスロープ状の空間４９ができるように、少なくとも２箇所以上に、高い部分０．５ｍｍ〜３ｍｍ、幅１ｍｍ〜１０ｍｍ程度の上記スロープ状４８に対して逆のスロープ状４７を形成する、上記逆のスロープ状４７の形状は、例えば、凸部線状３４、凸部点状４３、凸部山形状、凸部波形状、凸部円形状、凸部角形状においても効果的である
【図面の簡単な説明】
【００１９】
【図１】本考案によるフローリングワイパーの前側の基板が上がっている状態の斜視図。
【図２】図１の前側の基板が清掃床面に接している状態の斜視図。
【図３】図１に拭取シートを装着した状態の側面図
【図４】図２に拭取シートを装着した状態の断面図。
【図５】図４の拭取シートと柄棒を外している状態の平面図。
【図６】本考案の他の実施形態の断面図。
【図７】図６の拭取シートと柄棒を外している状態の平面図。
【図８】本考案の他の実施形態の凹凸部底面の正面図。
【図９】図８の側面図。
【図１０】図８の底面平面図。
【図１１】本考案の他の実施形態の凸部点状の部分平面図。
【図１２】本考案の他の実施形態の前側の基板が上がっている状態の正面図。
【図１３】図１２の側面図。
【図１４】図１２の底面平面図。
【符号の説明】
【００２０】１・・・係止孔、２・・・柄棒、３・・・柄可動部材
４・・・ストッパー、５、２４、２７・・・基板可動部材
６・・・ワイパーヘッド、７・・・本体
８・・・後側の基板
９・・・前側の基板
１０・・・空間
１２・・・拭取シート
１３、１４・・・拭取シートに付着した砂等の硬い塵
１５・・・清掃床面
１７・・・柄可動止
１８、２２、２５，２６，２８・・・軸部固定部材
１９，２０，２１、２９，３０，３１，３２・・・可動軸部材
３４・・・凸部
３５・・・凹部
３７、３９，４０・・・凸凹部底面
３８・・・底面
４３・・・凸部点状
４６・・・柄可動軸部材
４７・・・逆のスロープ状
４８・・・スロープ状
４９・・・逆のスロープ状の空間
【図１】
0003135125.tif 000003
【図２】
0003135125.tif 000004
【図３】
0003135125.tif 000005
【図４】
0003135125.tif 000006
【図５】
0003135125.tif 000007
【図６】
0003135125.tif 000008
【図７】
0003135125.tif 000009
【図８】
0003135125.tif 000010
【図９】
0003135125.tif 000011
【図１０】
0003135125.tif 000012
【図１１】
0003135125.tif 000013
【図１２】
0003135125.tif 000014
【図１３】
0003135125.tif 000015
【図１４】
0003135125.tif 000016